(57)【特許請求の範囲】
【請求項１】
冠婚葬祭時の取引および支払いを、暗号資産によって、予め登録済の二次元コードおよび暗号資産アドレスの読み込みが可能なコンピュータ端末のウェブサイトまたはアプリケーション上で行う取引・支払システムであって、
前記取引および支払いは、冠婚葬祭の案内を提供する主催者、該主催者から前記案内を受け取った者、または冠婚葬祭の関係者へ送金する者を含むユーザーが行い、
ユーザーとしての前記主催者から前記案内を受け取った者のために、
前記ウェブサイトまたはアプリケーション内において「結婚」、「葬儀」または「その他」の項目を表示し、ユーザーに受け取った前記案内に対応する項目を選択させる対応項目選択手段と、
選択された前記項目に関連する前記案内に対して前記主催者へ返信するための送信文および祝儀袋・香典袋等のデザインをユーザーに選択させるかまたは手入力により作成させる送信内容選択作成手段と、
選択または作成された前記送信文および前記デザインの内容をユーザーに確認させる送信内容確認手段と、を備えるか、或いは、
ユーザーとしての前記冠婚葬祭の関係者へ送金する者のために、
前記ウェブサイトまたはアプリケーション内において「結婚」、「葬儀」または「その他」の項目を表示し、ユーザーにこれらの何れかを選択させる項目選択手段と、  
選択された前記項目に関連する冠婚葬祭の前記関係者へ送信するための送信文および祝儀袋・香典袋等のデザインをユーザーに選択させるかまたは手入力により作成させる送信内容選択作成手段と、
選択または作成された前記送信文および前記デザインの内容をユーザーに確認させる送信内容確認手段と、を備えることを特徴とする冠婚葬祭のための取引・支払システム。
【請求項２】
ユーザーとしての前記冠婚葬祭の案内を提供する主催者のために、
前記ウェブサイトまたはアプリケーション内において「結婚」、「葬儀」または「その他」の項目を表示し、ユーザーにこれらの何れかを選択させる項目選択手段と、
選択された前記項目に関連する冠婚葬祭の案内を送信するための送信文および招待状をユーザーに選択させるかまたは手入力により作成させる案内選択作成手段と、
選択または作成された前記送信文および前記招待状の内容をユーザーに確認させる送信内容確認手段と、を備える、請求項１記載の冠婚葬祭のための取引・支払システム。
【請求項３】
前記暗号資産が、ビットコイン（ＢＩＴＣＯＩＮ）またはイーサリアム（ＥＴＨＥＲＥＵＭ）である、請求項１又は２に記載の冠婚葬祭のための取引・支払システム。
【請求項４】
前記暗号資産の受け渡し、取引・支払者リスト、または支出の履歴を記憶する機能を備える、請求項１〜３の何れかに記載の冠婚葬祭のための取引・支払システム。
【発明の詳細な説明】
【技術分野】
【０００１】
本発明は、暗号資産を利用した冠婚葬祭のための取引システムおよび支払システムに関し、詳しくは、冠婚葬祭時の現金受け渡しについてブロックチェーンを利用し、暗号資産をスマートフォン等の電子端末上のアプリケーションにて個人間のやり取りを簡単に行うことのできる新プラットフォームとしての取引・支払システムに関する。
【背景技術】
【０００２】
１，５００年ほど前から人々が利用してきたと言われる各地域（または国別）の貨幣の姿が、まさに今、暗号資産（世界統一通貨、デジタル通貨）に変わりつつある。
【０００３】
このような時代の流れの中で、日本の古くからの慣習である冠婚葬祭における現金の受け渡しは、近い将来に利用縮小、暗号資産の受け渡しやＯＮＬＩＮＥペイメントに取って代わることになると考えられる。
【０００４】
しかし、未だ冠婚葬祭においては、現金の受け渡し（御香典、お祝い、ご祝儀等）が行われており、個人間のやり取りが非常に煩雑で、現金の管理の安全面からも不備が多いというのが実情である。
【発明の概要】
【発明が解決しようとする課題】
【０００５】
本発明は、冠婚葬祭時の現金受け渡しについてブロックチェーンを利用し、暗号資産をスマートフォン等の電子端末上のWebサイトまたはアプリケーションにて個人間のやり取りを簡単に行うことのできる取引・支払システムを提供することを目的とする。
【課題を解決するための手段】
【０００６】
本発明者は、前記課題を解決するべく鋭意研究した結果、冠婚葬祭時の取引および支払いを、暗号資産によって、冠婚葬祭に関係する特定のユーザーがコンピュータ端末のウェブサイトまたはアプリケーション上で行う取引・支払システムが、前記目的を達成し得ることの知見を得た。
【０００７】
本発明は、前記知見に基づきなされたもので、下記の発明を提供することにより、その目的を達成したものである。
【０００８】
１．冠婚葬祭時の取引および支払いを、暗号資産によって、予め登録済の二次元コードおよび暗号資産アドレスの読み込みが可能なコンピュータ端末のウェブサイトまたはアプリケーション上で行う取引・支払システムであって、
前記取引および支払いは、冠婚葬祭の案内を提供する主催者、該主催者から前記案内を受け取った者、または冠婚葬祭の関係者へ送金する者を含むユーザーが行い、
前記ユーザーとしての前記主催者から前記案内を受け取った者のために、
前記ウェブサイトまたはアプリケーション内において「結婚」、「葬儀」または「その他」の項目を表示し、ユーザーに受け取った前記案内に対応する項目を選択させる対応項目選択手段と、
選択された前記項目に関連する前記案内に対して前記主催者へ返信するための送信文および祝儀袋・香典袋等のデザインをユーザーに選択させるかまたは手入力により作成させる送信内容選択作成手段と、
選択または作成された前記送信文および前記デザインの内容をユーザーに確認させる送信内容確認手段と、を備えるか、或いは、
前記ユーザーとしての前記冠婚葬祭の関係者へ送金する者のために、
前記ウェブサイトまたはアプリケーション内において「結婚」、「葬儀」または「その他」の項目を表示し、ユーザーにこれらの何れかを選択させる項目選択手段と、  
選択された前記項目に関連する冠婚葬祭の前記関係者へ送信するための送信文および祝儀袋・香典袋等のデザインをユーザーに選択させるかまたは手入力により作成させる送信内容選択作成手段と、
選択または作成された前記送信文および前記デザインの内容をユーザーに確認させる送信内容確認手段と、を備えることを特徴とする冠婚葬祭のための取引・支払システム。
【０００９】
２．ユーザーとしての前記冠婚葬祭の案内を提供する主催者のために、
前記ウェブサイトまたはアプリケーション内において「結婚」、「葬儀」または「その他」の項目を表示し、ユーザーにこれらの何れかを選択させる項目選択手段と、
選択された前記項目に関連する冠婚葬祭の案内を送信するための送信文および招待状をユーザーに選択させるかまたは手入力により作成させる案内選択作成手段と、
選択または作成された前記送信文および前記招待状の内容をユーザーに確認させる送信内容確認手段と、を備える、前記１記載の冠婚葬祭のための取引・支払システム。
【００１２】
３．前記暗号資産が、ビットコイン（ＢＩＴＣＯＩＮ）またはイーサリアム（ＥＴＨＥＲＥＵＭ）である、前記１又は２に記載の冠婚葬祭のための取引・支払システム。
【００１３】
４．前記暗号資産の受け渡し、取引・支払者リスト、または支出の履歴を記憶する機能を備える、前記１〜３の何れかに記載の冠婚葬祭のための取引・支払システム。
【発明の効果】
【００１４】
本発明によれば、冠婚葬祭時の現金受け渡しについてブロックチェーンを利用し、暗号資産をスマートフォン等の電子端末上のWebサイトまたはアプリケーションにて個人間のやり取りを簡単に行うことのできる取引・支払システムを提供することができる。
【図面の簡単な説明】
【００１５】
【図１】本発明の一実施形態に係る取引・支払システムを実行するためのWebサイトまたはアプリケーションの起動および登録をする際のスマートフォンを操作する表示画面を示す概略説明図である。
【図２】本実施形態の取引・支払システムを実行するためのマイアカウントページおよび受信メール・メール作成ページの表示画面を示す概略説明図である。
【図３】本実施形態の取引・支払システムを実行するための冠婚葬祭の案内を出す側の主催者送信用の表示画面を示す概略説明図である。
【図４】本実施形態の取引・支払システムを実行するための冠婚葬祭の案内を受け取った側の返信用の表示画面を示す概略説明図である。
【発明を実施するための形態】
【００１６】
以下、本発明について、その好ましい実施形態に基づき詳細に説明する。
本発明の一実施形態に係る取引・支払システムは、冠婚葬祭時の取引および支払いを、暗号資産によって、コンピュータ端末のウェブサイトまたはアプリケーション上で行うものであって、取引および支払いが、冠婚葬祭の案内を提供する主催者、該主催者から前記案内を受け取った者、または冠婚葬祭の関係者へ送金する者を含むユーザーによって行われる。かかる構成を備えることにより、冠婚葬祭時の現金受け渡しについてブロックチェーンを利用し、暗号資産をスマートフォン等の電子端末上のWebサイトまたはアプリケーションにて個人間のやり取りを簡単に行うことができる。
【００１７】
本発明の取引・支払システムにおいて使用される暗号資産としては、デジタル通貨、いわゆる仮想通貨等が挙げられるが、特にビットコイン（ＢＩＴＣＯＩＮ）またはイーサリアム（ＥＴＨＥＲＥＵＭ）等が好ましい。
【００１８】
本発明の取引・支払システムに使用されるコンピュータ端末としては、スマートフォンのほか、携帯電話端末、タブレット端末、ＰＣ等が挙げられる。
【００１９】
本発明の取引・支払システムの好ましい実施形態においては、暗号資産の受け渡し、取引・支払者リスト、または支出の履歴を記憶する機能を備えている。これらの複数の履歴やリストは、これらのデータを含むデータベースとして蓄積され、本システムにおいて利用することができる。
【００２０】
本発明に係る取引・支払システムは、プラットフォームとしての機能を備えるものである。
【００２１】
特に、本発明に係る取引・支払システムは、以下のユーザーに応じた実施形態を備える。
（１）冠婚葬祭の案内を提供する主催者である場合には、次の各手段を備えることが好ましい。
前記ウェブサイトまたはアプリケーション内において「結婚」、「葬儀」または「その他」の項目を表示し、ユーザーにこれらの何れかを選択させる項目選択手段。
選択された前記項目に関連する冠婚葬祭の案内を送信するための送信文および招待状をユーザーに選択させるかまたは手入力により作成させる案内選択作成手段。
選択または作成された前記送信文および前記招待状の内容をユーザーに確認させる送信内容確認手段。
【００２２】
（２）主催者から案内を受け取った者である場合には、次の各手段を備えることが好ましい。
前記ウェブサイトまたはアプリケーション内において「結婚」、「葬儀」または「その他」の項目を表示し、ユーザーに受け取った前記案内に対応する項目を選択させる対応項目選択手段。
選択された前記項目に関連する前記案内に対して前記主催者へ返信するための送信文および祝儀袋・香典袋等のデザインをユーザーに選択させるかまたは手入力により作成させる送信内容選択作成手段。
選択または作成された前記送信文および前記デザインの内容をユーザーに確認させる送信内容確認手段。
【００２３】
（３）冠婚葬祭の関係者へ送金する者である場合には、次の各手段を備えることが好ましい。
前記ウェブサイトまたはアプリケーション内において「結婚」、「葬儀」または「その他」の項目を表示し、ユーザーにこれらの何れかを選択させる項目選択手段。
選択された前記項目に関連する冠婚葬祭の前記関係者へ送信するための送信文および祝儀袋・香典袋等のデザインをユーザーに選択させるかまたは手入力により作成させる送信内容選択作成手段。
選択または作成された前記送信文および前記デザインの内容をユーザーに確認させる送信内容確認手段。
【００２４】
暗号資産による取引・支払については、例えば、本システムにおけるアカウント作成の際に、予め登録しておいたQRコード（登録商標、以下同じ）、BITCOINアドレス又はその他の暗号資産アドレスをスマートフォン等のコンピュータ端末で読み込み、暗号資産ウオレットから、ご祝儀、香典等としてBITCOIN（又はその他暗号資産）を送金することにより可能となる。
【００２５】
また、本発明に係る取引・支払システムにおいては、案内状送付や、暗号資産の送金前に、Google Authenticatorやワンタイムパスワードの発行などにより二段階認証を行い、IDおよびパスワード（PW）以外の更に厳しい本人確認を行う。このような本人確認によって、より強いセキュリテイチェックを経て、次のステップに進むシステムにする。
【００２６】
また、本発明の取引・支払システムによれば、暗号資産の受け渡しのみならず、親戚リスト、お友達リスト、特定の支出の履歴（いつ、誰から幾らのご祝儀を頂いたか、などの記録）等を保存できる機能があるため、冠婚葬祭に特化した資金管理が可能である。
また、アプリケーション上にて暗号資産を保管することが可能である（Wallet機能）。
【００２７】
本発明の取引・支払システムの利用者は、日本国内居住者全て、および、海外居住者の日本における冠婚葬祭行事への送金者等が挙げられる。
【００２８】
本発明の取引・支払システムの利用用途は、誕生祝い、入園祝い、入学祝い、入社祝い、卒業祝い、成人式祝い、七五三祝い、出産祝い、結婚祝い、葬儀香典、お年玉、新築祝い、寺、神社へのお布施、法事等のお供え金その他等の様々な冠婚葬祭行事に利用できる。
【００２９】
（社会における合理化、セキュリティ）
本発明の取引・支払システムを利用することで、結婚式会場（または葬儀会場など）における、受付係の人の作業軽減や、トラブル、紛失がなくなり金銭（現金）受け渡しの部分における合理化につながる。金銭のやり取りがなくなれば、安心して趣旨（結婚式や葬式等）に集中できる。
【００３０】
また、会場における祝儀（または香典）詐欺、泥棒などが昔から多発しており、こういった犯罪を１００％無くすことは不可能であるが、本発明の取引・支払システムを利用することにより、この犯罪を無くすことが可能となる。
【００３１】
現在でも、遠方の人や会場に向かえない人が、祝儀（または香典）を現金書留にて送っているが、世界的に見て個人レベルで一般的に現金を郵送し配達する国は日本しか無く、犯罪や紛失の確率も高くキャッシュレスの大きな波に逆行している分野であり、現金送付はいずれ無くなる。従って、今まで現金書留にて祝儀（または香典）を送っていたある一定数の利用者も、本発明の取引・支払システムの利用により合理化が図れる。
【００３２】
海外在住者から、日本の友人、親戚などに送る祝儀（または香典）なども、現金の用意や送付などの問題があり従来は難しかったが、本発明の取引・支払システムであれば、海外からでも簡単に操作できる。
【００３３】
現在では冠婚葬祭を悪用した現金のマネーロンダリングや脱税が可能であるが、本発明の取引・支払システムが利用されることによって、マネーロンダリングや脱税が出来なくなる。これは、暗号資産の流れがブロックチェーン上に明確に記録される為である。
【００３４】
従来は、祝儀（または香典）リストを作成し、金銭を頂いた方々へのお礼の手紙を書く作業が必要であったが、本発明の取引・支払システムを利用することにより、祝儀（または香典）の支払者へ、Emailにて自動返信をし、リストを自動で作成、PDFにてリストをダウンロードできる。
【００３５】
本発明の取引・支払システムを利用することにより、金銭のやりとりの話（請求、金額確認、金額間違い、ご祝儀袋に現金が入っていなかった、等）に触れることなく祝儀や香典の受け渡し、確認ができる。従来は手持ちで運んでいた金銭が、本発明の取引・支払システムには予め受信アドレスやＱＲコードが埋め込まれている為、このシステムとしてのプラットフォームを利用すれば、シンプルな作業で案内からご祝儀や香典の受け渡しまで手間と時間がかからず完結できる。
【００３６】
（プラットフォーム上のセキュリティ）
本発明の取引・支払システムでは、以下により、安全、安心して利用が可能である。
・アカウント登録時に、Emailアドレス（ID)  とパスワード（PW)を登録その他、Google Authenticator認証システムの設定をする。
・携帯電話番号の登録により、送金時、案内送付時の前に、本人確認メッセージをTEXTにて受診する。
・パソコンにて作業する場合は、ＱＲコードをスマートフォンにて読み込み、本人確認をする。
・プラットフォームにログインする度にログイン履歴が記録され、IPおよびログイン地域がエビデンスとして残される。
・サイト内の送受信内容は暗号化される。
【実施例】
【００３７】
以下に実施例を挙げて本発明をさらに詳細に説明する。なお、本発明はかかる実施例によって何等制限されるものではない。
【００３８】
（本発明の取引・支払システムの仕組みと使い方）
本発明の取引・支払システムの一実施形態としてのWebサイトまたはアプリケーションについて、図１〜４を示して、その仕組みと使い方を説明する。
【００３９】
実施例１：はじめての使う場合、登録の仕方
１−１．冠婚葬祭の取引・支払いに関する「〇〇サイト」（サイト名）のWebサイトまたはアプリケーションで登録画面でのEmailアドレス等を入力する。
【００４０】
図１の（１）に示すように、スマートフォン１０の表示画面１上の「〇〇サイト」というWebサイトまたはアプリケーションを示す「〇」のアイコン２が表示されるようにし、このアイコン２をクリックまたはタップする。すると、図１の（２）に示す同Webサイトのログイン画面３が表示される。この画面の下方にある新規登録のボタンをクリックまたはタップし、ユーザー固有のEmailのメールアドレスを入力する。
【００４１】
１−２．入力したEmailのメールアドレスに対して、ユーザー元に確認Emailが届く。届いたEmail内にあるURLをクリックまたはタップして認証する。
【００４２】
１−３．認証と同時に、〇〇サイトのサイト内、登録画面に飛ぶ。この登録画面にて、名前、電話番号、BITCOIN（又はその他の暗号資産）アドレス、ＱＲコードを登録する。
【００４３】
１−４．Google Authenticatorの紐付けを行う。
以上で、アカウント作成が完了する。
【００４４】
実施例２：冠婚葬祭の案内の出し方（冠婚葬祭主催者側）
２−１  ログインを行う。
図１の（２）の「〇〇サイト」のWebサイトのログイン画面３にあるメールアドレスおよびパスワード欄に、ユーザー固有のEmailのメールアドレスおよびパスワード文字等を入力し、ログインボタンをクリックまたはタップする。
【００４５】
２−２  図２の（３）に示すマイアカウントページの大項目「結婚」「葬儀」または「その他」を選択しクリックまたはタップする。
【００４６】
２−３  次に、形式文章（テンプレート）と案内状デザイン（葉書仕様）を選択する。場合によっては、名前や会場など固有名詞、所在地などを手動入力する。例えば、図３の（５）Ａに示すように、送信内容選択・作成画面７にて、結婚式の案内用送信文と招待状のデザインを選択・入力する。これにより、図３の（６）Ａに示す送信内容確認画面８にて、ユーザー所望の案内状が表示される。そして、内容を確認し、必要に応じて修正等して完成された案内状をメールで送信することができる。なお、相手に届くEmail には、QRコードが添付される。これにより、簡便な取引や支払を可能とすることができる。
【００４７】
２−４  図２の（３）に示すマイアカウントページのメニューバーのメール確認ボタン５をクリックまたはタップして、図２の（４）に示す受信メール・メール作成画面６にて、案内を出す相手のEmailを選択（利用Email内登録アドレスのインポート、又はFaceBookの友達インポートが可能）するか、又は、相手のEmailを手動入力する。
【００４８】
２−５  Google Authenticatorの番号を入力した後、送信する。
【００４９】
実施例３  冠婚葬祭の案内を受信した側（主催者からの連絡を受け取った側）
３−１  案内Emailを開き、内容にあるURLをクリック又はタップする。
３−２  図１の（２）に示すログイン画面３により、〇〇サイトのアカウントを持っている人は、そのままログインし、アカウントを持っていない人は、登録画面より、新規登録をする。
【００５０】
３−３  アカウントへログインする。
３−４  案内状の内容（場所、日取り等）を確認し、メッセージ欄から出席、欠席の選択をした上でコメントや挨拶を記入する。次に、図４の（５）Ｂに示す案内を受け取った側の返信用の内容選択・作成画面９において、送信文を作成し、さらにご祝儀袋（又は香典袋等）の袋デザインの中から希望する一のデザインを選択する。そして、図４の（６）Ｂに示す送信内容確認画面１１に内容が表示され、これを確認する。
３−６  Google Authenticatorの番号を入力した後、送信する。
【００５１】
３−７  案内状に記載されているQRコード、又は暗号資産アドレス（Emailにも添付されている）をスマートフォンで読み込み、暗号資産ウオレットから、ご祝儀、香典としてBITCOIN（またはその他暗号資産）を送金する。
【００５２】
実施例４  案内は来ていないが、相手に送金する場合（誕生祝い、出産祝い等）
４−１  実施例１〜３と同様に図１〜４に示す画面から操作する。まずログインする。
４−２  大項目の「結婚」「葬儀」または「その他」を選択しクリックまたはタップする。
４−３  形式文章（テンプレート）とご祝儀袋等の袋デザインを選択する。
【００５３】
４−４  案内を出す相手のEmailアドレスを選択する（利用Email内登録アドレスのインポート、又はFaceBookの友達インポートが可能）又は、相手のEmailを手動入力する。
４−５  Google Authenticatorの番号を入力した後、送信する。
【００５４】
４−６  相手側には、お祝いEmailが届き、相手が内容にあるURLをクリック又はタップする。
４−７  「〇〇サイト」のアカウントを持っている人は、そのままログインし、他方、アカウントを持っていない人は、登録画面より新規登録を行う。
【００５５】
４−８  アカウントへログインする。
４−９  お祝いの内容を確認し、メッセージ欄からお礼コメントや挨拶を記入する。
【００５６】
４−１０  Google Authenticatorの番号を入力した後、送信される。Emailに添付されているQR コード、又は暗号資産アドレスに、暗号資産ウオレットから、お祝いとしてBITCOIN（またはその他暗号資産）を送金する。
【００５７】
なお、本発明の取引・支払システムの基本の使い方は説明文章で示すこともできるが、よりわかり易いように、YouTube（登録商標）にて動画をアップロードし、例えば「〇〇サイト」等のWebサイトもしくはアプリからリンクし、YouTube（登録商標）に飛べるようにすることが好ましい。
【００５８】
〔比較例〕
従来の祝儀や香典の流れは、下記の通りである。
結婚を例にすると、結婚が決まると、関係者に結婚式の招待状を購入し、手書き又は印刷をし、郵便局へ出向き手紙として投函する。また、その他の人へお知らせ連絡をする。
関係者は、銀行や郵便局へ行き、新札を両替しに行く。
関係者は、祝儀袋を購入する。場合によっては、筆ペンも購入する。
遠方の人は、郵便局へ出向き、現金書留にて祝儀を送付する。
主催者の段取りによっては、知人や幹事の人に祝儀を渡し、預ける。または、直接会場にでむき案内係の人に手渡しする。
【００５９】
このように、本発明のシステムを使用しない比較例の場合（従来の流れ）では、本発明の効果が得られない。
【００６０】
これに対し、本実施例に係るシステムでは、結婚が決まると、関係者に当該システム経由で案内Emailを出す。次いで、関係者は、Emailを確認後、ログインし返信する。アプリケーション内においてBITCOINにて送付する。自動的に支出が記録され、アプリケーション（ブロックチェーン上）に保管される。
【００６１】
本発明に係る取引・支払システムによれば、以下の効果が得られる。
「完全無料で、安心、安全、便利に利用できる。」
「運営会社や、プラットフォーム内で、現金や暗号資産を預かるわけではないので、大切な資産が取り上げられたり、盗まれたり、消滅したり、ということがない。」
「万全のセキュリティを備える。」
「一度登録したら、将来の冠婚葬祭時に続けて一生使える。」
「送金履歴がブロックチェーン上に残り、改竄できない。」
「何より、時間とお金の節約になる。」
「今までの様に、手帳やファイルなどに、手作業でリストを書き上げて保管しておく必要がない。」
【００６２】
本発明に係る取引・支払システムでは、ハードウエア資源であるコンピュータが、ユーザーである冠婚葬祭の案内を提供する主催者、主催者から案内を受け取った者、冠婚葬祭の関係者へ送金する者等に対して、より簡易に、早いスピードで、ウェブサイトまたはアプリケーションにおける「結婚」や「葬儀」の項目選択、対応項目選択、案内選択作成、送信内容選択作成、送信内容確認等ができるように各ステップを制御するため、一層使い勝手の良いプラットフォームを提供することができる。
【産業上の利用可能性】
【００６３】
本発明は、冠婚葬祭時の現金受け渡しについてブロックチェーンを利用し、暗号資産をスマートフォン等の電子端末上のWebサイトまたはアプリケーションにて個人間のやり取りを簡単に行うことのできる取引・支払システムとして、産業上の利用可能性を有する。
【符号の説明】
【００６４】
１０：コンピューター端末（スマートフォン）
１：表示画面
２：アイコン
３：ログイン画面（登録画面）
４：マイアカウントページ
５：メール確認ボタン
６：受信メール・メール作成画面
７：主催者側の送信内容選択・作成画面
８：主催者側の送信内容確認画面
９：案内受信者側の送信内容選択・作成画面
１１：案内受信者側の送信内容確認画面
【要約】      （修正有）【課題】冠婚葬祭時の現金受け渡しについてブロックチェーンを利用し、暗号資産をスマートフォン等の電子端末上のWebサイトまたはアプリケーションにて個人間のやり取りを簡単に行うことのできる取引・支払システムを提供する。【解決手段】冠婚葬祭時の取引および支払いを、暗号資産によって、コンピュータ端末１０のウェブサイトまたはアプリケーション上で行う取引・支払システムであって、取引および支払いは、冠婚葬祭の案内を提供する主催者、該主催者から案内を受け取った者または冠婚葬祭の関係者へ送金する者を含むユーザーが行う。【選択図】図２【図１】
0006826715.tif 000002
【図２】
0006826715.tif 000003
【図３】
0006826715.tif 000004
【図４】
0006826715.tif 000005